(57)【要約】【課題】使用者の嗜好、用途の他、塗布する液状化粧料の多様化に応じて、塗布部を最適な形状に変形させて正確に液状化粧料を塗布できるようにする。【解決手段】櫛状の塗布部１４の一端に可動軸１６を、他端に軸部１０の延設部１２とを一体に成形するとともに、該可動軸１６を軸部１０の貫通孔１３を通してキャップ７内の軸部１０の径大部１１内に内装される進退機構１７のボタン１８と連結するスライダー１９とを連結するので、進退機構のボタンを動作させることによって、スライダーとともに可動軸を前進又は後退させて、塗布部を直線状から湾曲状へ、湾曲状から直線状へ変形させることができる。【選択図】図２
2014200507.tif 000002
【特許請求の範囲】
【請求項１】
軸部と、該軸部の先端において配置される塗布部とから構成され、
該軸部は、一端に円周の一部を軸方向に沿って延長する延設部を、他端に筒状に形成した径大部を、進退機構を内装したキャップ内に固持し、
該進退機構は、操作部と、該操作部の動作に応じてキャップ内を軸部長手方向に進退自在となる可動部材とからなるものであり、
該塗布部は、可撓性を有するとともに、その一端を可動軸と一体にするものとした上で、
該塗布部の他端と、軸部の一端に形成される延設部の先端とを一体にするとともに、塗布部の一端に一体となる可動軸をキャップに内装される進退機構の可動部材に連結する
ことを特徴とする液状化粧料塗布体。
【請求項２】
上記軸部と、他端に可動軸を一体に形成する塗布部とを一体に成形してなる
ことを特徴とする請求項１記載の液状化粧料塗布体。
【請求項３】
上記可動軸において、軸部より露出し塗布部に屈曲部を形成する
ことを特徴とする請求項１又は２記載の液状化粧料塗布体。
【請求項４】
上記塗布部及び該軸部の延設部において、各々の互いに対応する位置において塗布部及び軸部の延設部に屈曲部を形成する
ことを特徴とする請求項１又は２記載の液状化粧料塗布体。
【発明の詳細な説明】
【技術分野】
【０００１】
本願発明は、マスカラ、まつげ美容液等の液状化粧料（以下、「液状化粧料」とする。）の塗布に使用する液状化粧料塗布体に関する。
【背景技術】
【０００２】
従来、液状化粧料の塗布に使用する液状化粧料塗布体には、例えば塗布部が櫛状となっており、しかも、その全体形状が使用者の嗜好や用途に応じて直線状又は湾曲状等になっているものがある。
【０００３】
ところが、使用者の嗜好、用途の他、塗布する液状化粧料の多様化に反して、液状化粧料塗布体は通常単独であるので、使用者の嗜好等を満足させることはできないものである。従って、使用者の嗜好等をできるだけ満足させようとして、液状化粧料塗布体を多品種化しようとすると、例えば液状化粧料塗布体の成形に要する金型が多量に必要とならざるを得なくなり、製造コストの上昇を招来してしまう恐れがある。
【０００４】
そこで、多様化する使用者の嗜好等を満足させることができるように、一つの液状化粧料塗布体において、塗布部の基台の先端長手方向に対して０°の角度で第１の突起群を、塗布部の基台の長手方向に対して９０°の角度で第２の突起群を形成してなるものがある（特許文献１参照）。そのため、例えばマスカラの塗布にあたり、液状化粧料塗布体の塗布部の基台の長手方向に対して９０°の角度で形成される第２の突起群で広範囲に渡って一度にマスカラの塗布を行うとともに、塗布部の先端長手方向に対して０°の角度で形成される第１の突起群で、目頭や目尻等の限定的な範囲でマスカラの塗布を行うことができるものである。
【０００５】
しかしながら、上記液状化粧料塗布体では、該液状化粧料塗布体を塗布容器本体から抜出するにあたり、軸や第２の突起群に過剰に付着した液状化粧料をシゴキによって扱くと、シゴキによって扱かれた液状化粧料が第１の突起群に再付着してしまうので、再度塗布容器本体の開口部で液状化粧料を掻き落とせざるを得なくなり、使用者にとって非常に煩雑なものとなるとともに、周囲を汚損する恐れがある。
【先行技術文献】
【特許文献】
【０００６】
【特許文献１】特開２００８−９３１０５号公報
【発明の概要】
【発明が解決しようとする課題】
【０００７】
解決しようとする問題点は、液状化粧料塗布体において、塗布作業における煩雑さ及び周囲への汚損を招くとともに、使用者の嗜好、用途の他、塗布する液状化粧料の多様化に対応することができない点である。
【課題を解決するための手段】
【０００８】
第１の特徴として、
軸部と、該軸部の先端において配置される塗布部とから構成され、
該軸部は、一端に円周の一部を軸方向に沿って延長する延設部を、他端に筒状に形成した径大部を、進退機構を内装したキャップ内に固持し、
該進退機構は、操作部と、該操作部の動作に応じてキャップ内を軸部長手方向に進退自在となる可動部材とからなるものであり、
該塗布部は、可撓性を有するとともに、その一端を可動軸と一体にするものとした上で、
該塗布部の他端と、軸部の一端に形成される延設部の先端とを一体にするとともに、塗布部の一端に一体となる可動軸をキャップに内装される進退機構の可動部材に連結するものである。
【０００９】
そのため、液状化粧料塗布体においては直線状の塗布部として取り出した後、キャップに内装する進退機構を操作部により作動させることによって、該進退機構をなす可動部材がキャップ内を軸部長手方向に前進するので、該可動部材と連結する可動軸も同様に前進するものとなる。
その結果、キャップ内を前進する可動軸の先端には塗布部が形成されているとともに、該塗布部は軸部の延設部と一体となっているので、可動軸の前進に応じた押勢によって塗布部はその可撓性により直線状から湾曲状にすることができるものとなる。
従って、液状化粧料塗布体を取り出す際は、塗布部が直線状であるので液状化粧料の再付着はなく、しかも取り出し後は、使用者の嗜好、用途の他、塗布する液状化粧料に応じて最適な形状の塗布部とすることによって液状化粧料を正確に塗布することができるものである。
ここで、可動軸は、軸部内部に穿設する貫通孔内を通して進退機構の可動部材と連結するものとしても良く、また軸部と一体となるものとした上で、進退機構の可動部材と連結するものとしても良いものである。
【００１０】
また、キャップに内装する進退機構の操作部を逆に作動させることにより、該進退機構をなす可動部材が軸部長手方向に後退するので、該可動部材と連結する可動軸も同様に後退するものとなる。
その結果、後退する可動軸の先端と一体となり、湾曲状となっている塗布部に対する押勢が解消されるので、可動軸の後退によって、その後退量に応じて塗布部はその可撓性によって湾曲状から直線状となるものである。
従って、液状化粧料塗布体を収納する際には、塗布部が直線状であるので、簡易かつ確実に収納することができるものとなる。
【００１１】
ここで、塗布部は、該塗布部とともに形成される可動軸によって湾曲する可撓性があれば良く、その形状としては、例えば櫛状、スポンジ状、刷毛状等があり、用途や液状化粧料に応じて適宜選択するものである。
【００１２】
第１の特徴を踏まえて、第２の特徴として、
上記軸部と、他端に可動軸を一体に形成する塗布部とを一体に成形してなるものである。
【００１３】
そのため、構成する部品点数を削減することができるため、部品管理及び製造作業は容易になるので、製造コストを低減することができるものである。
【００１４】
第１の特徴又は第２の特徴を踏まえて、第３の特徴として、
上記可動軸において、軸部より露出し塗布部に屈曲部を形成するものとし、
また、第１の特徴又は第２の特徴を踏まえて、第４の特徴として、
上記塗布部及び該軸部の延設部において、各々の互いに対応する位置において塗布部及び軸部の延設部に屈曲部を形成するものである。
【００１５】
そのため、進退機構の操作部を作動することによって、該進退機構をなす可動部材の前進又は後退によって可動軸も前進又は後退するものとなるので、この前進又は後退する可動軸と一体となる塗布部に形成する屈曲部、又は塗布部及び該軸部の延設部において、各々の互いに対応する位置において塗布部及び軸部の延設部に形成する屈曲部により、塗布部は容易に変形するものとなる。その結果、塗布部が直線状から湾曲状又は湾曲状から直線状への変形、又は直線状が屈曲状又は屈曲状から直線状への変形を簡易且つ確実に、しかも迅速に行うことができるものとなる。
なお、軸部より露出し塗布部に形成される屈曲部、又は塗布部及び該軸部の延設部において、各々の互いに対応する位置において塗布部及び軸部の延設部に形成される屈曲部は、可動軸による押勢の有無に応じて塗布部や軸部の延設部を屈曲又は伸長させるものであるので、屈曲部自体は塗布部又は軸部の延設部において表裏面のいずれにおいて形成するものであっても良いものである。
【発明の効果】
【００１６】
本願発明は、液状化粧料塗布体の進退機構の操作部を作動させることにより、塗布部は直線状から湾曲状或いは屈曲状、又は湾曲状或いは屈曲状から直線状となるので、液状化粧料塗布体の取り出し又は収納を簡易且つ確実に、しかも迅速に行えるようになるとともに、使用者の嗜好、用途の他、塗布する液状化粧料の多様化に対応して最適な形状の塗布部とすることができるので、液状化粧料の塗布作業を正確に行うことができる優れた効果を有するものである。
【図面の簡単な説明】
【００１７】
【図１】図１は、本願発明の実施例１である液状化粧料塗布体を具える液状化粧料塗布容器の拡大断面図である。
【図２】図２（イ）は、本願発明の実施例１である液状化粧料塗布体の作動状態前の拡大断面図及びＡ−Ａ断面図、（ロ）は、本願発明の実施例１である液状化粧料塗布体の作動状態後の拡大断面図である。
【図３】図３（イ）は、本願発明の実施例２である液状化粧料塗布体の作動状態前の拡大部分断面図及び先端側からの平面図、（ロ）は、本願発明の実施例２である液状化粧料塗布体の作動状態後の拡大部分断面図である。
【図４】図４（イ）は、本願発明の実施例３である液状化粧料塗布体の作動状態前の拡大部分断面図、（ロ）は、本願発明の実施例３である液状化粧料塗布体の作動状態後の拡大部分断面図である。
【図５】図５（イ）は、本願発明の実施例４である液状化粧料塗布体の作動状態前の拡大部分断面図、（ロ）は、本願発明の実施例４である液状化粧料塗布体の作動状態後の中途段階での拡大部分断面図、（ハ）は、本願発明の実施例４である液状化粧料塗布体の作動状態後の最終段階での拡大部分断面図である。
【図６】図６（イ）は、本願発明の実施例４である液状化粧料塗布体の作動状態前の拡大断面図及びＢ−Ｂ断面図、（ロ）は、本願発明の実施例４である液状化粧料塗布体の作動状態後の中途段階での拡大断面図、（ハ）は、本願発明の実施例４である液状化粧料塗布体の作動状態後の最終段階での拡大断面図である。
【図７】図７（イ）は、本願発明の実施例５である液状化粧料塗布体の作動状態前の拡大部分断面図及びＣ−Ｃ断面図、（ロ）は、本願発明の実施例５である液状化粧料塗布体の作動状態後の中途段階での拡大部分断面図、（ハ）は、本願発明の実施例５である液状化粧料塗布体の作動状態後の最終段階での拡大部分断面図である。
【図８】図８（イ）は、本願発明の実施例６である液状化粧料塗布体の作動状態前の拡大部分断面図及びＤ−Ｄ断面図、（ロ）は、本願発明の実施例６である液状化粧料塗布体の作動状態後の拡大部分断面図である。
【発明を実施するための形態】
【００１８】
液状化粧料塗布体において、簡易且つ確実に取り出し、収納を行えるようにするとともに、使用者の嗜好、用途の他、塗布する液状化粧料に応じて最適な形状の塗布部とすることによって液状化粧料を正確に塗布することができるようにするため、進退機構の操作部を作動させることによって、塗布部を直線状から湾曲状又は屈曲状或いはその逆等のように変形させることで実現した。
【実施例１】
【００１９】
図１及び図２において示すのは、本願発明の実施例１である液状化粧料塗布体９を具える液状化粧料塗布容器１である。そして、該液状化粧料塗布容器１は、その内部にマスカラ、まつげ美容液等の液状化粧料（以下、「液状化粧料」という。）３を貯留し、その開口部４では後述する本願発明の実施例１である液状化粧料塗布体９をなす軸部１０又は塗布部１４に密着して過剰に付着した液状化粧料３を拭い去るシゴキ５を内装するとともに、その外周面には雄ネジ部６を螺設してなる塗布容器本体２と、その開口内周面において前記塗布容器本体２の開口部４の外周面に螺設する雄ネジ部６と螺合して該開口部４を閉塞自在とする雌ネジ部８を螺設するとともに、後述する本願発明の実施例１である液状化粧料塗布体９の軸部１０の径大部１１を固持するキャップ７とからなるものである。
【００２０】
そして、本願発明の実施例１である液状化粧料塗布体９は、軸部１０と、該軸部１０の先端において配置される塗布部１４とから構成され、該軸部１０は、一端に円周の一部を軸方向に沿って延長する延設部１２を、他端に筒状の径大部１１を形成するとともに、その内部に前記一端から径大部１１へ連通する貫通孔１３を穿設した上で、キャップ７内で固持される該径大部１１内を軸部長手方向に進退する進退機構１７を内装するものである。
【００２１】
さらに、該進退機構１７は、操作部であるボタン１８と、該操作部であるボタン１８の軸部長手方向にキャップ７の案内溝７’に沿うスライド動作に応じて軸部１０の径大部１１内を軸部長手方向に進退自在となる可動部材であるスライダー１９とからなり、該ボタン１８の基部１８’とスライダー１９とは一体にスライド自在となるように結合しているものである。
【００２２】
また、該塗布部１４は可撓性を有するとともに、その一端を可動軸１６と、その他端を軸部１０の一端に形成される延設部１２の先端と一体に成形してなるものであって、その背面側には屈曲自在となる屈曲部である切り込み部１５が形成されている。なお、該塗布部１４は複数の櫛歯１４’を並列して形成する櫛状となっているものである。
【００２３】
その上で、塗布部の一端に一体成形される可動軸１６を、軸部１０の貫通孔１３を通じて径大部１１内に内装される進退機構１７の可動部材であるスライダー１９に連結するものである。
【００２４】
本願発明の実施例１である液状化粧料塗布体９は以上の構成を具えるので、液状化粧料３の塗布にあたっては次のようにするものである。
まず液状化粧料３を塗布するにあたり、キャップ７と塗布容器本体２との螺合を解くとともにキャップ７を引張して離脱させるものである。そのため、キャップ７に固持される本願発明の実施例１である液状化粧料塗布体９の軸部１０及び塗布部１４はシゴキ５を通過して簡易かつ確実に、しかも迅速に外部に取り出すことができるものとなる。
【００２５】
そして、進退機構１７をなすボタン１８を軸部長手方向へ案内溝７’に沿って前進（すなわち、軸部１０の塗布部１４方向、以下同じ）させることによって、該進退機構１７をなすスライダー１９も径大部１１内を同様に軸部長手方向に前進するので、該スライダー１９と連結される可動軸１６は軸部１０の貫通孔１３内を前進するものとなる。
その結果、軸部１０の貫通孔１３内を前進する可動軸１６の先端には塗布部１４が一体に成形されているとともに、該塗布部１４は軸部１０の延設部１２と一体成形されているので、可動軸１６の前進に応じた押勢によって塗布部１４はその可撓性により直線状から湾曲状に変形させることができるものとなる。
従って、使用者の嗜好、用途の他、塗布する液状化粧料３に応じて最適な塗布部１４の形状となるので、液状化粧料３を正確に塗布することができるものである。
【００２６】
また、進退機構１７をなすボタン１８を軸部長手方向へ案内溝７’に沿って後退（すなわち、軸部１０の塗布部１４とは逆方向、以下同じ）させることによって、該進退機構１７をなすスライダー１９も同様に軸部長手方向に径大部１１内を後退するので、該スライダー１９と連結される可動軸１６は軸部１０の貫通孔１３内を後退するものとなる。
その結果、軸部１０の貫通孔１３内を後退する可動軸１６の先端と一体となって、湾曲状となっている塗布部１４に対する押勢が解消されるので、可動軸１６の後退に応じて塗布部１４はその可撓性によって湾曲状から直線状とすることができるものとなる。
従って、容易に軸部１０と、該軸部１０の先端において保持される塗布部１４とを簡易かつ確実に、しかも迅速に塗布容器本体２内に収納することができるものである。
【実施例２】
【００２７】
図３において示すのは、本願発明の実施例２である液状化粧料塗布体９ａを具えるキャップ７ａである。そして、該液状化粧料塗布体９ａは、本願発明の実施例１の液状化粧料塗布体９と同様に、キャップ７ａと塗布容器本体（図示せず）とする構成、及び該キャップ７ａ内において軸部１０ａの径大部（図示せず）内に内装される進退機構１７ａも略共通するものである。
【００２８】
しかしながら、上記本願発明の実施例２である液状化粧料塗布体９ａは、本願発明の実施例１である液状化粧料塗布体９と主として次の三点で相違するものである。
すなわち、まず本願発明の実施例２である液状化粧料塗布体９ａは、塗布部１４ａの他端と軸部１０ａの延設部１２ａとが一体に成形されておらず、該塗布部１４ａの他端に形成された突起部１４ａ’を軸部１０ａの延設部１２ａに形成された受け部１２ａ’に対して嵌合保持させて一体とする点で、塗布部１４の他端と軸部１０の延設部１２先端とを一体成形する本願発明の実施例１である液状化粧料塗布体９とは相違するものである。
そして、本願発明の実施例２である液状化粧料塗布体９ａは、軸部１０ａの延設部１２ａにおいて断面四角形状の歯を複数並設して別の塗布部１２ａ”を形成している点で、軸部１０の延設部１２においては塗布部を形成していない本願発明の実施例１である液状化粧料塗布体９とは相違するものである。
さらに、本願発明の実施例２である液状化粧料塗布体９ａは、その塗布部１４ａが複数の線状突起１４ａ”を並列して形成されている点で、塗布部１４は複数の櫛歯１４’を並列して形成されている本願発明の実施例１である液状化粧料塗布体９とは相違するものである。ここで、本願発明の実施例２である液状化粧料塗布体９ａの塗布部１４ａが複数の線状突起１４ａ”を並列して形成しているので、睫毛などの間に確実に入り込み、睫毛などを梳かしながら液状化粧料を万遍なく塗布することができるものである。
【００２９】
本願発明の実施例２である液状化粧料塗布体９ａは以上の構成を具えるので、液状化粧料（図示せず）の塗布にあたっては、実施例１の液状化粧料塗布体９と同様に、塗布容器本体（図示せず）より離脱させたキャップ７ａを引張することで、シゴキ（図示せず）を通過させて簡易かつ確実に、しかも迅速に外部に取り出すことができるものとなる。
【００３０】
そして、進退機構１７ａをなすボタン１８ａを軸部長手方向へ案内溝７ａ’に沿って前進させることによって、軸部１０ａの貫通孔１３ａ内を可動軸１６ａは前進し、可動軸１６ａの前進に応じた押勢によって塗布部１４ａはその可撓性により直線状から湾曲状に変形するものとなる。その結果、使用者の嗜好、用途の他、塗布する液状化粧料（図示せず）に応じて最適な塗布部１４ａの形状となるので、液状化粧料（図示せず）を正確に塗布することができるものである。
【００３１】
なお、該塗布部１４ａの背面側における軸部１０ａの延設部１２ａには、断面四角形状の歯を複数並設してなる別の塗布部１２ａ”が形成されているので、当該塗布部１２ａ”により睫毛等に対して睫毛等を数本ずつまとめながら厚く液状化粧料（図示せず）を塗布することができるものでもある。
【００３２】
また、進退機構１７ａをなすボタン１８ａを軸部長手方向へ案内溝７ａ’に沿って後退させることによって、軸部１０ａの貫通孔１３ａ内を可動軸１６ａは後退し、可動軸１６ａの後退に応じて押勢が解消されて塗布部１４ａはその可撓性によって湾曲状から直線状へ変形するものである。その結果、容易に軸部１０ａと、該軸部１０ａの先端において保持される塗布部１４ａとを簡易かつ確実に、しかも迅速に塗布容器本体（図示せず）内に収納することができるものとなる。
【実施例３】
【００３３】
図４において示すのは、本願発明の実施例３である液状化粧料塗布体９ｂである。そして、該液状化粧料塗布体９ｂは、本願発明の実施例１の液状化粧料塗布体９と同様に、キャップ７ｂと塗布容器本体（図示せず）とする構成、及びキャップ７ｂ内において軸部１０ｂの径大部（図示せず）内に内装される進退機構１７ｂも略共通するものである。
【００３４】
しかしながら、上記本願発明の実施例３である液状化粧料塗布体９ｂは、本願発明の実施例１である液状化粧料塗布体９と主として次の三点で相違するものである。
すなわち、まず、本願発明の実施例３である液状化粧料塗布体９ｂは、その進退機構１７ｂにおける可動軸１６ｂがその一部でクランク状となっている点で、進退機構１７における可動軸１６が直線状である本願発明の実施例１である液状化粧料塗布体９とは相違するものである。従って、本願発明の実施例３である液状化粧料塗布体９ｂにおける延設部１２ｂに塗布部１２ｂ’を形成する軸部１０ｂと、塗布部１４ｂを形成する可動軸１６ｂとの配置が、本願発明の実施例１である液状化粧料塗布体９における延設部１２を有する軸部１０と可動軸１６との配置とは逆になっているものである。
そして、本願発明の実施例３である液状化粧料塗布体９ｂは、可動軸１６ｂと一体成形される塗布部１４ｂの根元付近及び軸部１０ｂの延設部１２ｂに対応する可動軸１６ｂにおいて屈曲自在の屈曲部である薄肉部１５ｂ’及び切り込み部１５ｂを形成してなる点で、塗布部１４の背面側にのみ切り込み部１５を形成してなる本願発明の実施例１である液状化粧料塗布体９とは相違するものである。
さらに、本願発明の実施例３である液状化粧料塗布体９ｂは、軸部１０ｂの延設部１２ｂにおいて櫛歯を複数並設してなる別の塗布部１２ｂ’を形成している点で、軸部１０の延設部１２においては塗布部を形成していない本願発明の実施例１である液状化粧料塗布体９とは相違するものである。
【００３５】
本願発明の実施例３である液状化粧料塗布体９ｂは以上の構成を具えるので、液状化粧料（図示せず）の塗布にあたっては、実施例１の液状化粧料塗布体９と同様に、塗布容器本体（図示せず）より離脱させたキャップ７ｂを引張することで、シゴキ（図示せず）を通過させて簡易かつ確実に、しかも迅速に外部に取り出すことができるものとなる。
【００３６】
そして、進退機構１７ｂをなすボタン１８ｂを軸部長手方向へ案内溝７ｂ’に沿って前進させることによって、軸部１０ｂの貫通孔１３ｂ内を可動軸１６ｂは前進し、可動軸１６ｂの前進に応じた押勢によって塗布部１４ｂは、該塗布部１４ｂの根元付近に形成される薄肉部１５ｂ’は外側に、及び軸部１０ｂの延設部１２ｂに対応する可動軸１６ｂに形成される切り込み部１５ｂは内側に屈曲して、軸部１０ｂの延設部１２ｂ、塗布部１４ｂ及び可動軸１６ｂによって略直角三角形状に変形するものとなる。その結果、使用者の嗜好、用途の他、塗布する液状化粧料（図示せず）に応じて最適な塗布部１４ｂ、１２ｂ’の形状となるので、その塗布部１４ｂ、１２ｂ’を選択することにより液状化粧料（図示せず）を正確に塗布することができるものである。
【００３７】
なお、該可動軸１６ｂにおいて形成される塗布部１４ｂは、軸部１０ｂの延設部１２ｂにおいて形成される別の塗布部１２ｂ’に比べて小さいので、部分的修正や塗布する液状化粧料（図示せず）の厚さを部分的に異なるように塗布するのに最適である。
【００３８】
また、進退機構１７ｂをなすボタン１８ｂを軸部長手方向へ案内溝７ｂ’に沿って後退させることによって、軸部１０ｂの貫通孔１３ｂ内を可動軸１６ｂは後退し、可動軸１６ｂの後退に応じて塗布部１４ｂの根本付近屈曲している薄肉部１５ｂ’及び可動軸１６ｂの屈曲している切り込み部１５ｂへの押勢は解消されるので、可動軸１６ｂ及び塗布部１４ｂは直線状に変形するものである。その結果、容易に軸部１０ｂと、該軸部１０ｂの先端において保持される塗布部１４ｂとを簡易かつ確実に、しかも迅速に塗布容器本体（図示せず）内に収納することができるものとなる。
【実施例４】
【００３９】
図５及び図６において示すのは、本願発明の実施例４の液状化粧料塗布体９ｃである。そして、該液状化粧料塗布体９ｃは、本願発明の実施例１の液状化粧料塗布体９と同様に、キャップ７ｃと塗布容器本体（図示せず）とから構成される点で共通するものである。
【００４０】
しかしながら、上記本願発明の実施例４である液状化粧料塗布体９ｃは、本願発明の実施例１である液状化粧料塗布体９と主として次の二点で相違するものである。
すなわち、まず本願発明の実施例４である液状化粧料塗布体９ｃは、その進退機構１７ｃが実施例１である液状化粧料塗布体９の進退機構１７とは相違するものである。ここで、本願発明の実施例４である液状化粧料塗布体９ｃにおける進退機構１７ｃは、キャップ７の周方向に回転自在となる回転ボタン１８ｃ、外周面の突起部１９ｃ’が該回転ボタン１８ｃの凹陥部１８ｃ’と一体に係合するとともに、外周面の雄ネジ部１９ｃ”が後述の内キャップ２０の雌ネジ部２０”と螺合するものであって、軸部１０ｃの径大部１１ｃ内で進退自在に保持されるスライダー１９ｃ、及びキャップ７ｃ内に回転不能に固持され、頂面に内周面に雌ネジ部２０”を形成する貫通孔２０’を穿設してなる内キャップ２０からなるものである。そのため、進退機構をなす回転ボタン１８ｃを回転させることで、キャップ７ｃ内で回転不能に固持される内キャップ２０の雌ネジ部２０”と螺合する雄ネジ部１９ｃ”を外周面に螺設するスライダー１９ｃは、その回転方向に応じて回転しながら、内キャップ２０の貫通孔２０’を通して前進又は後退を行うものとなり、該スライダー１９ｃの前進後退に応じて、可動軸１６ｃは軸部１０ｃ内の貫通孔１３ｃ内を前進又は後退するものとなる。
また、回転ボタン１８ｃの内周面には、回転角度が０°、４５°及び９０°の位置に係止突起１８ｃ”が形成されており、該係止突起１８ｃ”に対してキャップ７ｃの外周に突設される突起７ｃ”が各々係合して固定されるものとなる。
そして、本願発明の実施例４である液状化粧料塗布体９ｃは、可動軸１６ｃと一体に成形される塗布部１４ｃの背面側及び軸部１０ｃの延設部１２ｃにおいて屈曲自在となる屈曲部である薄肉部１５ｃ及び切り込み部１２ｃ’を互いに対応する位置に形成している点で、可動軸１６と一体に成形される塗布部１４の背面側にのみ屈曲自在の屈曲部である切り込み部１５を形成してなる本願発明の実施例１である液状化粧料塗布体９とは相違するものである。
【００４１】
本願発明の実施例４である液状化粧料塗布体９ｃは以上の構成を具えるので、液状化粧料（図示せず）の塗布にあたっては、実施例１の液状化粧料塗布体９と同様に、塗布容器本体（図示せず）より離脱させたキャップ７ｃを引張することで、シゴキ（図示せず）を通過させて簡易かつ確実に、しかも迅速に外部に取り出すことができるものとなる。
【００４２】
そして、進退機構１７ｃをなす回転ボタン１８ｃをキャップ７ｃの周方向へ回転させることによってスライダー１９ｃも凹陥部１８ｃ’と突起部１９ｃ’との係合を介して同方向に一体に回転するので、該スライダー１９ｃは内周面の雌ネジ部２０”と螺合する内キャップ２０の貫通孔２０’内を通じて軸部１０ｃの径大部１１ｃ内を前進するものとなる。そして、該スライダー１９ｃと一体に連結する可動軸１６ｃは軸部１０ｃの貫通孔１３ｃ内を前進し、可動軸１６ｃの前進に応じた押勢によって塗布部１４ｃの先端及び軸部１０ｃの延設部１２ｃは、該塗布部１４ｃの背面側における屈曲自在の屈曲部である薄肉部１５ｃ及び切り込み部１２ｃ’により、その先端が４５°〔図４（イ）参照〕、９０°〔図４（ロ）参照〕へと段階を踏んで徐々に屈曲変形するものとなる。その結果、使用者の嗜好、用途の他、塗布する液状化粧料に応じて塗布部１４ｃは最適な形状となるので、その塗布部１４ｃを選択することにより液状化粧料（図示せず）を正確に塗布することができるものである。
【００４３】
特に、該塗布部１４ｃの先端の屈曲変形した部分は、その他の部分と比較して小さいので、部分的修正や塗布する液状化粧料（図示せず）の厚さを部分的に異なるように塗布するのに最適である。
【００４４】
また、進退機構をなす回転ボタン１８ｃをキャップ７ｃの周方向へ逆回転させることによって、前進していたスライダー１９ｃは軸部１０ｃの径大部１１ｃ内を後退するとともに、軸部１０ｃの貫通孔１３ｃ内を可動軸１６ｃは後退するものである。さらに、可動軸１６ｃの後退に応じて塗布部１４ｃの薄肉部１５ｃ及び軸部１０ｃの延設部１２ｃにおける切り込み部１２ｃ’への押勢は解消されるので、屈曲していた塗布部１４ｃ及び軸部１０ｃの延設部１２ｃの先端は直線状となるものである。その結果、容易に軸部１０ｃと、該軸部１０ｃの先端において保持される塗布部１４ｃとを簡易かつ確実に塗布容器本体（図示せず）内に収納することができるものとなる。
【実施例５】
【００４５】
図７に示すのは、本願発明の実施例５の液状化粧料塗布体９ｄである。そして、該液状化粧料塗布体９ｄは、本願発明の実施例１の液状化粧料塗布体９と同様に、キャップ７ｄと塗布容器本体（図示せず）とからなる構成、及び該キャップ７ｄ内において軸部１０ｄの径大部（図示せず）内に内装される進退機構１７ｄの構成は略共通するものである。
【００４６】
しかしながら、上記本願発明の実施例５である液状化粧料塗布体９ｄは、本願発明の実施例１である液状化粧料塗布体９と主として次の三点で相違するものである。
すなわち、まず本願発明の実施例５である液状化粧料塗布体９ｄは、可動軸１６ｄと一体に成形され、その背面側に切り込み部１５ｄを有する塗布部１４ｄが屈曲自在の屈曲部である薄肉部１５ｄ’を挟んで第一塗布部１４ｄ’と第二塗布部１４ｄ”とに二分割されており、しかも軸部１０ｄの延設部１２ｄにおいて該塗布部１４ｄの薄肉部１５ｄ’に対応する位置に切り込み部１２ｄ’を形成している点で、該塗布部１４が単一であって、その背面側にのみ屈曲自在となる屈曲部である切り込み部１５が形成されている本願発明の実施例１である液状化粧料塗布体９とは相違するものである。
そして、本願発明の実施例５である液状化粧料塗布体９ｄは、薄肉部１５ｄ’によって分割されている第一塗布部１４ｄ’の先端部分が軸部１０ｄの延設部１２ｄと一体となっている点で、塗布部１４の先端が軸部１０の延設部１２と一体に成形されている本願発明の実施例１である液状化粧料塗布体９とは相違するものである。
さらに、本願発明の実施例５である液状化粧料塗布体９ｄは、軸部１０ｄの延設部１２ｄと塗布部４ｄとがその背面において、薄肉部１５ｄ’近傍の一部において僅かに軸部長手方向にスライド可能となる係合部２１を介して一体となっている点で、軸部１０の延設部１２と塗布部とがその背面において一体となっていない本願発明の実施例１である液状化粧料塗布体９とは相違するものである。
【００４７】
本願発明の実施例５である液状化粧料塗布体９ｄは以上の構成を具えるので、液状化粧料（図示せず）の塗布にあたっては、実施例１の液状化粧料塗布体９と同様に、塗布容器本体（図示せず）より離脱させたキャップ７ｄを引張することで、シゴキ（図示せず）を通過させて簡易かつ確実に、しかも迅速に外部に取り出すことができるものとなる。
【００４８】
そして、進退機構１７ｄをなすボタン１８ｄを軸部長手方向へ案内溝７ｄ’に沿って前進させることによって、軸部１０ｄの径大部（図示せず）内を可動部材であるスライダー（図示せず）も前進するので、軸部１０ｄの貫通孔１３ｄ内を該スライダー（図示せず）と連結する可動軸１６ｄは前進するとともに、第一塗布部１４ｄ’は係合部２１のスライド可能範囲で前進した後固定され、当該可動軸１６ｄの前進に応じた押勢によって塗布部１４ｄのうち第二塗布部１４ｄ”は、該塗布部１４ｄを二分割する薄肉部１５ｄ’及び軸部１０ｄの延設部１２ｄにおいて対応する位置に形成される切り込み部１２ｄ’で第一塗布部１４ｄ’に対して９０°に屈曲変形するものとなる〔同図（ロ）参照〕。
さらに、進退機構１７ｄをなすボタン１８ｄを前進させることによって、二分割されている塗布部１４ｄの第一塗布部１４ｄ’は軸部１０ｄの延設部１２ｄに対してスライドできずに軸部１０ｄの延設部１２ｄと一体に係止されているので、第一塗布部１４ｄ’はその可撓性によって直線状から湾曲状に変形するものとなる〔同図（ハ）参照〕。
その結果、使用者の嗜好、用途の他、塗布する液状化粧料（図示せず）に応じて最適な塗布部の形状、すなわち直線状及び湾曲状となるので、その塗布部１４ｄ’、１４ｄ”を選択することにより液状化粧料（図示せず）をより正確に塗布することができるものである。
【００４９】
特に、二分割された塗布部１４ｄのうち、第二塗布部１４ｄ”は第一塗布部１４ｄ’と比べて小さいので、部分的修正や塗布する液状化粧料（図示せず）の厚さを部分的に異なるように塗布するのに最適である。
【００５０】
また、進退機構１７ｄをなすボタン１８ｄを軸部長手方向へ案内溝７ｄ’に沿って後退させることによって、軸部１０ｄの径大部（図示せず）内を可動部材であるスライダー（図示せず）も後退し、軸部１０ｄの貫通孔１３ｄ内を可動軸１６ｄは後退するものとなる。そして、可動軸１６ｃの後退に応じて塗布部１４ｄへの押勢が徐々に解消されるので、まず湾曲状に変形している第１塗布部１４ｄ’ｄは直線状に、その後さらに第一塗布部１４ｄ’に対して９０°に屈曲変形している第二塗布部１４ｄ”も直線状になるものである。その結果、容易に軸部１０ｄと、該軸部１０ｄの先端において保持される塗布部１４ｄとを簡易かつ確実に、しかも迅速に塗布容器本体（図示せず）内に収納することができるものとなる。
【実施例６】
【００５１】
図８に示すのは、本願発明の実施例６である液状化粧料塗布体９ｅである。そして、該液状化粧料塗布体９ｅは実施例１の液状化粧料塗布体９と同様に、キャップ７ｅと塗布容器本体（図示せず）とからなる構成で略共通するものである。
【００５２】
しかしながら、上記本願発明の実施例６である液状化粧料塗布体９ｅは、本願発明の実施例１である液状化粧料塗布体９と主として次の四点で相違するものである。
すなわち、まず、本願発明の実施例６である液状化粧料塗布体９ｅは、進退機構１７ｅの一部、すなわちボタン１８ｃがキャップ７ｅ内ではあるが軸部１０ｅの径大部１１ｅに内装されず、スライダー１９ｅの一部しか径大部１１ｅに内装されていない点で、進退機構１７のすべてがキャップ７に内の軸部１０の径大部１１に内装されている本願発明の実施例１である液状化粧料塗布体９とは相違するものである。
そして、本願発明の実施例６である液状化粧料塗布体９ｅでは、断面略半円形状の軸部１０ｅに対して断面略半円形状の可動軸１６ｅが、該軸部１０ｅの凸条縁１０ｅ’と該可動軸１６ｅの凹条縁１６ｅ’とが摺動自在に遊嵌して一体である点で、軸部１０の貫通孔１３内を可動軸１６が通じて一体になっている本願発明の実施例１である液状化粧料塗布体９とは相違するものである。
さらに、本願発明の実施例６である液状化粧料塗布体９ｅは、可動軸１６ｅと一体に成形される塗布部１４ｅが屈曲自在となる屈曲部である切り込み部１５ｅ’を挟んで第一塗布部１４ｅ’と第二塗布部１４ｅ”とに二分割されており、しかも軸部１０ｅの延設部１２ｅにおいて該塗布部１４ｅの切り込み部１５ｅ’に対応する位置に切り込み部１２ｅ’を形成している点で、該塗布部１４が単一であって、その背面側にのみ屈曲自在の屈曲部である切り込み部１５が形成されている本願発明の実施例１である液状化粧料塗布体９とは相違するものである。
また、本願発明の実施例６である液状化粧料塗布体９ｅは、塗布部１４ｅのうち、第一塗布部１４ｅ’が櫛歯１４’を複数並設して櫛状とし、第二塗布部１４ｅ”がスクリューブラシをインサート成形している点で、塗布部１４全体が櫛歯１４’を複数並設して櫛状としている本願発明の実施例１である液状化粧料塗布体９とは相違するものである。
【００５３】
本願発明の実施例６である液状化粧料塗布体９ｅは以上の構成を具えるので、液状化粧料（図示せず）の塗布にあたっては、実施例１の液状化粧料塗布体９と同様に、塗布容器本体（図示せず）より離脱させたキャップ７ｅを引張することで、シゴキ（図示せず）を通過させて簡易かつ確実に、しかも迅速に外部に取り出すことができるものとなる。
【００５４】
そして、進退機構１７ｅをなし、軸部１０ｅの径大部１１ｅ外でスライダー１９ｅと結合するボタン１８ｅを軸部長手方向へ案内溝７ｅ’に沿って前進させることによって、キャップ７ｅ内において、軸部１０ｅの径大部（図示せず）内を可動部材であるスライダー１９ｅも前進するので、軸部１０ｅの貫通孔１３ｅ内を該スライダー１９ｅと連結する可動軸１６ｅは一体である軸部１０ｅに対して、該軸部１０ｅの凸条縁１０ｅ’と可動軸１６ｅの凹条縁１６ｅ’との摺動自在な遊嵌を介して前進して、可動軸１６ｅの前進に応じた押勢によって塗布部１４ｅにおいて第二塗布部１４ｅ”は、該塗布部１４ｅを二分割する切り込み部１５ｅ’、及び軸部１０ｅの延設部１２ｅにおいて対応する位置に形成される切り込み部１２ｅ’で第一塗布部１４ｅ’に対して９０°に屈曲変形してなるものである。
その結果、使用者の嗜好、用途の他、塗布する液状化粧料に応じて最適な塗布部１４ｅの形状となるので、その第一塗布部１４ｅ’又は第二塗布部１４ｅ”を適宜選択することにより液状化粧料をより正確に塗布することができるものである。
【００５５】
特に、二分割された塗布部１４ｅのうち、第二塗布部１４ｅ”は第一塗布部１４ｅ’と比べて小さく、しかも該ブラシは睫毛等を梳かしながら一本一本に塗布することが可能なスクリューブラシであるので、部分的修正や塗布する液状化粧料の厚さを部分的に異なるように液状化粧料を塗布するのに最適である。
【００５６】
また、進退機構１７ｅをなすボタン１８ｅを軸部長手方向へ案内溝７ｅ’に沿って後退させることによって、キャップ７ｅ内において、軸部１０ｅの径大部１１ｅ内を可動部材であるスライダー１９ｅも後退し、軸部１０ｅの貫通孔１３ｅ内を可動軸１６ｅは後退するものとなる。そして、可動軸１６ｅの後退に応じて塗布部１４ｅへの押勢が徐々に解消されるので、第一塗布部１４ｅ’に対して９０°に屈曲変形している第二塗布部１４ｅ”は直線状になるものである。その結果、容易に軸部１０ｅと、該軸部１０ｅの先端において保持される塗布部１４ｅとを簡易かつ確実に、しかも迅速に塗布容器本体（図示せず）内に収納することができるものとなる。
【符号の説明】
【００５７】
１    液状化粧料塗布容器
２    塗布容器本体
３    液状化粧料
４    開口部
５    シゴキ
６    雄ネジ部
７、７ａ、７ｂ、７ｃ、７ｄ、７ｅ    キャップ
７’、７ａ’、７ｂ’、７ｄ’、７ｅ’    案内溝
７ｃ”  突起
８    雌ネジ部
９、９ａ、９ｂ、９ｃ、９ｄ、９ｅ    液状化粧料塗布体
１０、１０ａ、１０ｂ、１０ｃ、１０ｄ、１０ｅ    軸部
１０ｅ’    凸条縁
１１、１１ｃ、１１ｅ    径大部
１２、１２ａ、１２ｂ、１２ｃ、１２ｄ、１２ｅ    延設部
１２ａ’    受け部
１２ａ”    塗布部
１２ｂ’    塗布部
１２ｃ’、１２ｄ’、１２ｅ’  切り込み部
１３、１３ａ、１３ｂ、１３ｃ、１３ｄ    貫通孔
１４、１４ａ、１４ｂ、１４ｃ、１４ｄ、１４ｅ    塗布部
１４’    櫛歯
１４ａ’    突起部
１４ａ”    線状突起
１４ｄ’、１４ｅ’    第一塗布部
１４ｄ”、１４ｅ”    第二塗布部
１５、１５ａ、１５ｂ、１５ｄ    切り込み部
１５ｃ    薄肉部
１５ｂ’、１５ｄ’    薄肉部
１５ｅ’  切り込み部
１６、１６ａ、１６ｂ、１６ｃ、１６ｄ、１６ｅ    可動軸
１６ｅ’    凹条縁
１７、１７ａ、１７ｂ、１７ｃ、１７ｄ、１７ｅ    進退機構
１８、１８ａ、１８ｂ、１８ｄ、１８ｅ    ボタン
１８ｃ    回転ボタン
１８ｃ’    凹陥部
１８ｃ”    係止突起
１８’    基部
１９、１９ｃ、１９ｅ    スライダー
１９ｃ’    突起部
１９ｃ”    雄ネジ部
１９ｅ’    Ｏパッキン
２０    内キャップ
２０’    貫通孔
２０”    雌ネジ部
２１    係合部
【図１】
2014200507.tif 000003
【図２】
2014200507.tif 000004
【図３】
2014200507.tif 000005
【図４】
2014200507.tif 000006
【図５】
2014200507.tif 000007
【図６】
2014200507.tif 000008
【図７】
2014200507.tif 000009
【図８】
2014200507.tif 000010